(57)【特許請求の範囲】
【請求項１】
情報を入力するための入力装置と、管理者によって使用される管理装置と、情報の入力が許可された入力装置から入力された情報を記憶し、記憶している情報を出力装置へ出力する情報処理装置とを備える情報入出力システムにおいて、
前記入力装置は、
情報を入力する権限を有する入力者を識別する入力者識別情報、及び該入力装置を特定する入力装置特定情報を前記情報処理装置へ送信する手段を備え、
前記情報処理装置は、
情報の入力を許可した入力装置を特定する許可入力装置特定情報を記憶する手段と、
許可入力装置特定情報により特定される入力装置から入力される情報の制限、及び前記許可入力装置特定情報に一致しない入力装置特定情報により特定される入力装置である不許可入力装置から入力される情報の制限を示した入力制限情報を記憶する手段と、
受信した入力装置特定情報が許可入力装置特定情報に一致するか否かを判定する手段と、
受信した入力装置特定情報に一致する許可入力装置特定情報があると判定された場合は、受信した許可入力装置特定情報により特定される入力装置について前記入力制限情報が示す制限に従った情報を、受信した入力装置特定情報の送信元である入力装置から受信する手段と、
受信した入力装置特定情報に一致する許可入力装置特定情報がないと判定された場合は、入力制限情報が示す制限に従った情報を、受信した入力装置特定情報の送信元である不許可入力装置から受信する手段と、
不許可入力装置から情報を受信したことを示す通知を前記管理装置へ送信する手段と、
不許可入力装置から受信した情報を、出力装置へ出力することを可能にするための指示を前記管理装置から受け付けるまで出力装置へ出力することを禁止された情報とする手段と
を備えることを特徴とする情報入出力システム。
【請求項２】
情報の入力を許可した外部の入力装置から入力された情報を記憶し、記憶している情報を外部の出力装置へ出力する情報処理装置において、
情報の入力を許可した外部の入力装置を特定する許可入力装置特定情報を記憶する手段と、
許可入力装置特定情報により特定される外部の入力装置から入力される情報の制限、及び前記許可入力装置特定情報に一致しない入力装置特定情報により特定される外部の入力装置である不許可入力装置から入力される情報の制限を示した入力制限情報を記憶する手段と、
外部の入力装置から、入力者識別情報、及び該入力装置を特定する入力装置特定情報を受信する手段と、
受信した入力装置特定情報に一致する許可入力装置特定情報があるか否かを判定する手段と、
受信した入力装置特定情報に一致する許可入力装置特定情報があると判定された場合は、受信した許可入力装置特定情報により特定される入力装置について前記入力制限情報が示す制限に従った情報を、前記外部の入力装置から受信する手段と、
受信した入力装置特定情報に一致する許可入力装置特定情報がないと判定された場合は、入力制限情報が示す制限に従った情報を、受信した入力装置特定情報の送信元である外部の不許可入力装置から受信する手段と、
不許可入力装置から情報を受信したことを示す通知を特定の外部の装置へ送信する手段と、
不許可入力装置から受信した情報を、外部の出力装置へ出力することを可能にするための指示を前記特定の外部の装置から受け付けるまで外部の出力装置へ出力することを禁止された情報とする手段と
を備えることを特徴とする情報処理装置。
【請求項３】
情報の入力を拒否すべき外部の入力装置を特定する拒否入力装置特定情報を記憶する手段と、
受信した入力装置特定情報に一致する拒否入力装置特定情報があるか否かを判定する手段と、
受信した入力装置特定情報に一致する拒否入力装置特定情報があると判定された場合は、受信した入力装置特定情報の送信元である外部の入力装置からの情報の入力を拒否する手段とを備え、
前記不許可入力装置は、前記許可入力装置特定情報及び前記拒否入力装置特定情報のいずれにも一致しない入力装置特定情報により特定される外部の入力装置であること
を特徴とする請求項２に記載の情報処理装置。
【請求項４】
管理者を識別する管理者識別情報、及び管理者が使用する外部の入力装置を特定する管理装置特定情報を記憶する手段と、
外部の入力装置から受信した入力者識別情報及び入力装置特定情報が、管理者識別情報及び管理装置特定情報に一致するか否かを判定する手段と、
受信した入力者識別情報及び入力装置特定情報が管理者識別情報及び管理装置特定情報に一致すると判定された場合に、外部の出力装置への出力を禁止されている情報について、外部の出力装置への出力の禁止を解除する指示を、前記入力装置から受信する手段と、
受信した前記指示に係る情報に対する前記禁止を解除する手段と
を備えることを特徴とする請求項２又は３に記載の情報処理装置。
【請求項５】
情報の入力を許可した外部の入力装置を特定する許可入力装置特定情報を記憶し、許可入力装置特定情報により特定される外部の入力装置から入力される情報の制限、及び前記許可入力装置特定情報に一致しない入力装置特定情報により特定される外部の入力装置である不許可入力装置から入力される情報の制限を示した入力制限情報を記憶したコンピュータに、外部の入力装置から情報を入力させるコンピュータプログラムであって、
コンピュータに、外部の入力装置から受信した該入力装置を特定する入力装置特定情報に一致する許可入力装置特定情報を記憶しているか否かを判定させる手順と、
コンピュータに、受信した入力装置特定情報に一致する許可入力装置特定情報が記憶されていると判定された場合は、受信した許可入力装置特定情報により特定される入力装置について前記入力制限情報が示す制限に従った情報を、前記外部の入力装置から受信させる手順と、
コンピュータに、受信した入力装置特定情報に一致する許可入力装置特定情報が記憶されていないと判定された場合は、入力制限情報が示す制限に従った情報を、受信した入力装置特定情報の送信元である外部の不許可入力装置から受信させる手順と、
コンピュータに、不許可入力装置から情報を受信したことを示す通知を特定の外部の装置へ送信させる手順と、
コンピュータに、不許可入力装置から受信した情報を、外部の出力装置へ出力することを可能にするための指示を前記特定の外部の装置から受け付けるまで外部の出力装置へ出力することを禁止された情報とさせる手順と
を含むことを特徴とするコンピュータプログラム。
【発明の詳細な説明】
【０００１】
【発明の属する技術分野】
本発明は、情報処理装置へ入力装置から情報を入力し、出力装置から情報を出力する情報入出力システム、情報処理装置、及びコンピュータを該情報処理装置として実現するためのコンピュータプログラムに関する。
【０００２】
【従来の技術】
情報を中央で管理する情報処理装置と、通信ネットワークを介して情報処理装置に接続された複数の入力装置および出力装置とを備え、入力装置から情報処理装置へ情報が入力され、情報処理装置は入力された情報を記憶し、記憶されている情報が出力装置から出力される情報入出力システムが、従来より用いられている。近年では、通信ネットワークが発達し、パーソナルコンピュータ（ＰＣ）を入力装置として用いることで、情報の入力を手軽に行うことが可能となっている。
【０００３】
【発明が解決しようとする課題】
近年の情報入力システムでは、情報の入力が手軽になる反面、情報を入力する権限を有さない者からの情報の入力が容易になるという問題がある。従来の情報入力システムでは、情報を入力する権限を有する情報入力者を認識する個人ＩＤとパスワードとを用いて、情報の入力を制限していた。しかし、個人ＩＤとパスワードとを不正に取得した者からの不正な情報の入力は防止することができず、不正な情報が入力されることにより、正規の情報が消失し、また、不正な情報が出力装置から出力されるという被害が発生する。
【０００４】
本発明は、斯かる事情に鑑みてなされたものであって、その目的とするところは、入力装置は、情報入力者を認識する入力者識別情報と共に該入力装置を特定する入力装置特定装置を情報処理装置へ入力し、情報処理装置は、入力された入力装置特定情報に従って、情報の入力の可否、入力装置から入力可能な情報の種類、又は既存の情報の変更の可否などの制限を行うことによって、不正な情報の入力を防止することができる情報入出力システム、情報処理装置、及びコンピュータを該情報処理装置として実現するためのコンピュータプログラムを提供することにある。
【０００５】
また、本発明の他の目的とするところは、情報の入力を許可している入力装置以外の入力装置から入力された情報は、管理者による承認を受けるまで出力装置への出力を禁止することにより、不正な情報が出力装置から出力されることを防止することができる情報処理装置を提供することにある。
【０００６】
【課題を解決するための手段】
本発明に係る情報入出力システムは、情報を入力するための入力装置と、管理者によって使用される管理装置と、情報の入力が許可された入力装置から入力された情報を記憶し、記憶している情報を出力装置へ出力する情報処理装置とを備える情報入出力システムにおいて、前記入力装置は、情報を入力する権限を有する入力者を識別する入力者識別情報、及び該入力装置を特定する入力装置特定情報を前記情報処理装置へ送信する手段を備え、前記情報処理装置は、情報の入力を許可した入力装置を特定する許可入力装置特定情報を記憶する手段と、許可入力装置特定情報により特定される入力装置から入力される情報の制限、及び前記許可入力装置特定情報に一致しない入力装置特定情報により特定される入力装置である不許可入力装置から入力される情報の制限を示した入力制限情報を記憶する手段と、受信した入力装置特定情報が許可入力装置特定情報に一致するか否かを判定する手段と、受信した入力装置特定情報に一致する許可入力装置特定情報があると判定された場合は、受信した許可入力装置特定情報により特定される入力装置について前記入力制限情報が示す制限に従った情報を、受信した入力装置特定情報の送信元である入力装置から受信する手段と、受信した入力装置特定情報に一致する許可入力装置特定情報がないと判定された場合は、入力制限情報が示す制限に従った情報を、受信した入力装置特定情報の送信元である不許可入力装置から受信する手段と、不許可入力装置から情報を受信したことを示す通知を前記管理装置へ送信する手段と、不許可入力装置から受信した情報を、出力装置へ出力することを可能にするための指示を前記管理装置から受け付けるまで出力装置へ出力することを禁止された情報とする手段とを備えることを特徴とする。
【０００７】
本発明に係る情報処理装置は、情報の入力を許可した外部の入力装置から入力された情報を記憶し、記憶している情報を外部の出力装置へ出力する情報処理装置において、情報の入力を許可した外部の入力装置を特定する許可入力装置特定情報を記憶する手段と、許可入力装置特定情報により特定される外部の入力装置から入力される情報の制限、及び前記許可入力装置特定情報に一致しない入力装置特定情報により特定される外部の入力装置である不許可入力装置から入力される情報の制限を示した入力制限情報を記憶する手段と、外部の入力装置から、入力者識別情報、及び該入力装置を特定する入力装置特定情報を受信する手段と、受信した入力装置特定情報に一致する許可入力装置特定情報があるか否かを判定する手段と、受信した入力装置特定情報に一致する許可入力装置特定情報があると判定された場合は、受信した許可入力装置特定情報により特定される入力装置について前記入力制限情報が示す制限に従った情報を、前記外部の入力装置から受信する手段と、受信した入力装置特定情報に一致する許可入力装置特定情報がないと判定された場合は、入力制限情報が示す制限に従った情報を、受信した入力装置特定情報の送信元である外部の不許可入力装置から受信する手段と、不許可入力装置から情報を受信したことを示す通知を特定の外部の装置へ送信する手段と、不許可入力装置から受信した情報を、外部の出力装置へ出力することを可能にするための指示を前記特定の外部の装置から受け付けるまで外部の出力装置へ出力することを禁止された情報とする手段とを備えることを特徴とする。
【０００８】
本発明に係る情報処理装置は、情報の入力を拒否すべき外部の入力装置を特定する拒否入力装置特定情報を記憶する手段と、受信した入力装置特定情報に一致する拒否入力装置特定情報があるか否かを判定する手段と、受信した入力装置特定情報に一致する拒否入力装置特定情報があると判定された場合は、受信した入力装置特定情報の送信元である外部の入力装置からの情報の入力を拒否する手段とを備え、前記不許可入力装置は、前記許可入力装置特定情報及び前記拒否入力装置特定情報のいずれにも一致しない入力装置特定情報により特定される外部の入力装置であることを特徴とする。
【０００９】
本発明に係る情報処理装置は、管理者を識別する管理者識別情報、及び管理者が使用する外部の入力装置を特定する管理装置特定情報を記憶する手段と、外部の入力装置から受信した入力者識別情報及び入力装置特定情報が、管理者識別情報及び管理装置特定情報に一致するか否かを判定する手段と、受信した入力者識別情報及び入力装置特定情報が管理者識別情報及び管理装置特定情報に一致すると判定された場合に、外部の出力装置への出力を禁止されている情報について、外部の出力装置への出力の禁止を解除する指示を、前記入力装置から受信する手段と、受信した前記指示に係る情報に対する前記禁止を解除する手段とを備えることを特徴とする。
【００１０】
本発明に係るコンピュータプログラムは、情報の入力を許可した外部の入力装置を特定する許可入力装置特定情報を記憶し、許可入力装置特定情報により特定される外部の入力装置から入力される情報の制限、及び前記許可入力装置特定情報に一致しない入力装置特定情報により特定される外部の入力装置である不許可入力装置から入力される情報の制限を示した入力制限情報を記憶したコンピュータに、外部の入力装置から情報を入力させるコンピュータプログラムであって、コンピュータに、外部の入力装置から受信した該入力装置を特定する入力装置特定情報に一致する許可入力装置特定情報を記憶しているか否かを判定させる手順と、コンピュータに、受信した入力装置特定情報に一致する許可入力装置特定情報が記憶されていると判定された場合は、受信した許可入力装置特定情報により特定される入力装置について前記入力制限情報が示す制限に従った情報を、前記外部の入力装置から受信させる手順と、コンピュータに、受信した入力装置特定情報に一致する許可入力装置特定情報が記憶されていないと判定された場合は、入力制限情報が示す制限に従った情報を、受信した入力装置特定情報の送信元である外部の不許可入力装置から受信させる手順と、コンピュータに、不許可入力装置から情報を受信したことを示す通知を特定の外部の装置へ送信させる手順と、コンピュータに、不許可入力装置から受信した情報を、外部の出力装置へ出力することを可能にするための指示を前記特定の外部の装置から受け付けるまで外部の出力装置へ出力することを禁止された情報とさせる手順とを含むことを特徴とする。
【００１１】
本発明においては、情報処理装置は、入力者識別情報、及び／又は許可入力装置特定情報に関連づけて、入力装置から入力される情報を制限するための入力制限情報を記憶しておき、入力装置から入力装置特定情報を受信し、受信した入力装置特定情報が許可入力装置特定情報と一致した場合は、入力制限情報に従って、入力装置から入力可能な情報の種類、又は既存の情報の変更の可否などの制限を、特別な入力装置以外の一般の入力装置に対して行うことによって、不正に入力者識別情報を取得した者による任意の入力装置からの不正な情報の入力を防止することができる。
【００１２】
本発明においては、情報処理装置は、許可入力装置特定情報と一致しない入力装置特定情報を受信した場合は、該入力装置特定情報により特定される不許可入力装置から、入力制限情報に従った情報を受信し、不許可入力装置から情報を受信したことを管理者へ通知し、受信した情報を出力装置へ出力することを禁止する。出力を禁止された情報は、管理者の指示により出力の禁止を解除され、出力を可能とすることができる。これにより、入力された情報のうち不正の可能性がある情報を、該情報が出力される前にチェックすることが可能となり、不正な情報が出力装置から出力されることを防止することができる。更に、情報処理装置は、情報の入力を拒否すべき入力装置を特定する拒否入力装置特定情報を記憶しておき、受信した入力装置特定情報が拒否入力装置特定情報と一致した場合は、情報の入力を拒否することによって、過去に不正な情報の入力が行われた入力装置からの不正な情報の入力を防止することができる。
【００１３】
【発明の実施の形態】
以下、本発明をその実施の形態を示す図面に基づき具体的に説明する。
図１は、本発明の情報入出力システムの構成を示すブロック図である。図中１は、コンピュータを用いてなる本発明の情報処理装置であり、演算を行うＣＰＵ１１と、演算に伴って発生する一時的な情報を記憶するＲＡＭ１２と、ＣＤ−ＲＯＭドライブ等の外部記憶装置１３と、ハードディスク等の内部記憶装置１４とを備えており、ＣＤ−ＲＯＭ等の記録媒体２から本発明に係るコンピュータプログラム２０を外部記憶装置１３にて読み取り、読み取ったコンピュータプログラム２０を内部記憶装置１４に記憶し、ＲＡＭ１２にコンピュータプログラム２０をロードし、ＣＰＵ１１はコンピュータプログラム２０に基づいて情報処理装置１に必要な処理を実行する。更に、情報処理装置１は、外部の通信ネットワークＮに接続された通信部１５を備えており、情報処理装置１は、通信部１５を介して通信ネットワークＮとの間で情報の送受信をする。
【００１４】
通信ネットワークＮには、ＰＣからなる複数の入力装置３，３，…，３が接続されており、情報の入力者の操作により情報が入力され、入力された情報は入力装置３から通信ネットワークＮを介して情報処理装置１へ送信され、情報処理装置１は、受信した情報を内部記憶装置１４に記憶する。通信ネットワークＮには、また、管理者によって使用される入力装置である管理装置４が接続されており、管理者の操作により情報処理装置１の管理に必要な情報が入力され、入力された情報は管理装置４から通信ネットワークＮを介して情報処理装置１へ入力される。更に、通信ネットワークＮには、ＰＣ又はケーブルＴＶ装置などの複数の出力装置５，５，…，５が接続されており、情報処理装置１は、内部記憶装置１４に記憶している情報を通信ネットワークＮを介して出力装置５，５，…，５へ送信し、出力装置５，５，…，５から情報を出力する。
【００１５】
内部記憶装置１４は、情報を入力する入力者を識別する入力者識別情報である個人ＩＤを記録したＩＤ情報１４ａと、入力装置３を特定する入力装置識別情報であるＩＰアドレスを記録したアドレス情報１４ｂとを記憶している。図２は、ＩＤ情報１４ａ及びアドレス情報１４ｂの内容の例を示す概念図である。図２（ａ）はＩＤ情報１４ａの内容の例を示しており、情報を入力する権限を有する入力者である複数の一般ユーザの夫々を識別する個人ＩＤが夫々パスワードに関連づけられて記録されており、また、一般ユーザよりも大きな権限を有する複数の上級ユーザの夫々を識別する個人ＩＤ、及び管理者を識別する管理者識別情報である管理者の個人ＩＤが、夫々パスワードに関連づけられて記録されている。図２（ｂ）はアドレス情報１４ｂの内容の例を示しており、管理装置４を特定する管理装置特定情報である管理装置４のＩＰアドレスと、上級ユーザによって用いられる入力装置３を特定する、本発明に係る許可入力装置特定情報である複数のＩＰアドレスと、一般ユーザによって用いられる入力装置３を特定する、本発明に係る許可入力装置特定情報である複数のＩＰアドレスとが記録されている。更に、過去に不正な情報を入力した経歴がある入力装置３等の、情報の入力を拒否すべき入力装置３である拒否入力装置を特定する複数のＩＰアドレスが記録されている。拒否入力装置のＩＰアドレスは、管理者の操作により登録される。
【００１６】
内部記録装置１４は、また、入力装置３，３，…，３から入力される情報を制限するための入力制限情報１４ｃと、入力装置３，３，…，３から入力され、出力装置５，５，…，５から出力することが可能な公開情報１４ｄ，１４ｄ，…，１４ｄと、出力装置５，５，…，５から出力することを禁止されている非公開情報１４ｅ，１４ｅ，…，１４ｅとを記憶している。図３は、入力制限情報１４ｃの内容の例を示す概念図である。管理装置４に関連づけて、個人ＩＤの登録、一般ユーザ用入力装置または拒否入力装置などを特定する新たなＩＰアドレスの登録、及び非公開情報１４ｅの非公開の解除など、管理者に対して許可されている機能が記録されている。また、上級ユーザ用入力装置に関連づけて、情報の新規入力、既に記憶されている情報の更新及び削除など、上級ユーザに対して許可されている機能が記録されており、一般ユーザ用入力装置に関連づけて、情報の新規入力、同じ個人ＩＤにて入力されて記憶されている自作分の情報の更新及び削除など、一般ユーザに対して許可されており、上級ユーザよりも制限された機能が記録されている。更に、管理装置４、上級ユーザ管理装置、及び一般ユーザ入力装置としてＩＰアドレスがアドレス情報１４ｂに記録されておらず、拒否入力装置としてもＩＰアドレスがアドレス情報１４ｂに記録されていない不許可入力装置に関連づけて、既に記録されている情報の更新及び削除が禁止された、一般ユーザよりも更に制限された機能が記録されている。
【００１７】
図４は、公開情報１４ｄ及び非公開情報１４ｅの内容の例を示す概念図である。図４（ａ）は、公開情報１４ｄの内容の例を示しており、公開情報１４ｄは、情報の入力者を識別する入力者個人ＩＤと、情報の入力に用いられた入力装置３を特定する入力装置ＩＰアドレスと、入力された情報の内容である入力情報とを含んでいる。図４（ｂ）は、非公開情報１４ｅの内容の例を示しており、入力者個人ＩＤと入力装置ＩＰアドレスと入力情報と共に、出力装置５，５，…，５から出力することを禁止していることを示す非公開フラグが記録されている。非公開フラグは、管理者の操作により解除されることが可能であり、非公開フラグが解除された非公開情報１４ｅは、公開情報１４ｄとなって出力装置５，５，…，５からの出力が可能となる。
【００１８】
次に、本発明の情報入出力システムが行う動作を、情報処理装置１が行う処理を示すフローチャートを用いて説明する。図５及び図６は、情報処理装置１が行う処理の流れを示すフローチャートである。入力者の操作により、入力装置３は、情報処理装置１へ接続要求を送信し、情報処理装置１は、通信ネットワークＮを介して入力装置３から接続要求を受信する（Ｓ１）。情報入力装置１は、受信した接続要求の送信元である入力装置３へ、個人ＩＤ及びパスワードの要求を送信し（Ｓ２）、入力装置３は、個人ＩＤ及びパスワードの要求を受信して入力者の操作により個人ＩＤ及びパスワードの入力を受け付け、受け付けた個人ＩＤ及びパスワード、並びに入力装置３を特定するＩＰアドレスを情報処理装置１へ送信する。情報処理装置１は、入力装置３から個人ＩＤ、パスワード、及びＩＰアドレスを受信し（Ｓ３）、受信した個人ＩＤ及びパスワードは、ＩＤ情報１４ａに記録された正しい個人ＩＤ及びパスワードであるか否かを判定する（Ｓ４）。個人ＩＤ及びパスワードが正しくなかった場合は（Ｓ４：ＮＯ）、情報処理装置１は処理をステップＳ２へ戻して個人ＩＤ及びパスワードの要求を送信し直す。
【００１９】
ステップＳ４にて個人ＩＤ及びパスワードが正しい場合は（Ｓ４：ＹＥＳ）、情報処理装置１は、受信した個人ＩＤ及びＩＰアドレスが、ＩＤ情報１４ａに記録された管理者の個人ＩＤ、及びアドレス情報１４ｂに記録された管理装置４のＩＰアドレスであるか否かを判定する（Ｓ５）。個人ＩＤ及びＩＰアドレスが管理者用であった場合は（Ｓ５：ＹＥＳ）、情報処理装置１は、管理装置４に関連づけて入力制限情報１４ｃに記録され、管理者に対して許可されている機能に従った、非公開情報１４ｅに対する非公開の解除を受け付ける処理などの、管理者用の情報入力処理を行う（Ｓ６）。次に、情報処理装置１は、管理者によって入力された情報を内部記憶装置１４に記憶し（Ｓ７）、処理を終了する。
【００２０】
ステップＳ５にて個人ＩＤ及びＩＰアドレスが管理者用でなかった場合は（Ｓ５：ＮＯ）、情報処理装置１は、受信した個人ＩＤ及びＩＰアドレスが、ＩＤ情報１４ａに記録された上級ユーザの個人ＩＤ、及びアドレス情報１４ｂに記録された上級ユーザ用入力装置のＩＰアドレスであるか否かを判定する（Ｓ８）。個人ＩＤ及びＩＰアドレスが上級ユーザ用であった場合は（Ｓ８：ＹＥＳ）、情報処理装置１は、上級ユーザ用入力装置に関連づけて入力制限情報１４ｃに記録され、上級ユーザに対して許可されている機能に従った、公開情報１４ｄの更新を受け付ける処理などの、上級ユーザ用の情報入力処理を行う（Ｓ９）。次に、情報処理装置１は、上級ユーザによって入力された情報である、公開情報１４ｄを内部記憶装置１４に記憶し（Ｓ１０）、処理を終了する。
【００２１】
ステップＳ８にて個人ＩＤ及びＩＰアドレスが上級ユーザ用でなかった場合は（Ｓ８：ＮＯ）、情報処理装置１は、受信したＩＰアドレスが、アドレス情報１４ｂに記録された、管理装置４、上級ユーザ用入力装置、又は一般ユーザ用入力装置のいずれかである許可入力装置のＩＰアドレスであるか否かを判定する（Ｓ１１）。受信したＩＰアドレスが許可入力装置を特定するＩＰアドレスであった場合は（Ｓ１１：ＹＥＳ）、情報処理装置１は、一般ユーザ用入力装置に関連づけて入力制限情報１４ｃに記録され、上級ユーザよりは制限されて一般ユーザに対して許可されている機能に従った、自作分の公開情報１４ｄの更新を受け付ける処理などの、一般ユーザ用の情報入力処理を行う（Ｓ１２）。次に、情報処理装置１は、一般ユーザによって入力された情報である、公開情報１４ｄを内部記憶装置１４に記憶し（Ｓ１０）、処理を終了する。
【００２２】
ステップＳ１１にてＩＰアドレスが許可入力装置のＩＰアドレスでなかった場合は（Ｓ１１：ＮＯ）、情報処理装置１は、受信したＩＰアドレスが、アドレス情報１４ｂに記録された、拒否入力装置のＩＰアドレスであるか否かを判定する（Ｓ１３）。受信したＩＰアドレスが拒否入力装置を特定するＩＰアドレスであった場合は（Ｓ１３：ＹＥＳ）、情報処理装置１は、受信したＩＰアドレスの送信元である入力装置３へ接続拒否の通知を送信し（Ｓ１４）、管理装置４へ送信する電子メール等を用いて、拒否入力装置から接続が試みられたことを示す通知を管理者宛に送信し（Ｓ１５）、処理を終了する。拒否入力装置からの情報の入力を拒否することにより、不正な情報が入力されることを防止することができる。
【００２３】
ステップＳ１３にてＩＰアドレスが拒否入力装置を特定するＩＰアドレスではなかった場合は（Ｓ１３：ＮＯ）、情報処理装置１は、不許可入力装置に関連づけて入力制限情報１４ｃに記録され、一般ユーザより制限された機能に従った、新規の情報の入力を受け付ける処理などの、不許可入力装置用の情報入力処理を行い（Ｓ１６）、不許可入力装置から入力された情報である、非公開情報１４ｅを内部記憶装置１４に記憶する（Ｓ１７）。次に、情報処理装置１は、管理装置４へ送信する電子メール等を用いて、アドレス情報１４ｂにＩＰアドレスが記録されていない不許可入力装置から情報の入力があったことを示す通知を管理者宛に送信し（Ｓ１８）、処理を終了する。
【００２４】
不許可入力装置からの情報の入力は、最も制限をかけ、特に、記憶されている情報の更新および削除を禁止することで、正規の情報の消去を防止する。また、不許可入力装置から入力された情報は非公開情報１４ｅとして記憶することで、不正な情報が出力装置５，５，…，５から出力されることを防止する。非公開情報１４ｅは、管理者の操作により非公開フラグを解除することができる。不許可入力装置からの情報の入力の通知を受けた管理者は、非公開情報１４ｅに含まれる入力者個人ＩＤを元に情報の入力の確認を行う。一般ユーザがアドレス情報１４ｂに記録されていない自宅のＰＣから情報の入力を行っていた場合など、情報の入力の経緯が確認された場合には、管理者は、該当する非公開情報１４ｅに含まれる非公開フラグの解除の指示を管理装置４から情報処理装置１へ入力し、情報処理装置１は、入力された指示に係る非公開情報１４ｅに含まれる非公開フラグを解除し、不許可入力装置から入力された情報は公開情報１４ｄとなって出力装置５，５，…，５からの出力が可能となる。
【００２５】
以上詳述した如く、本発明の情報入出力システムにおいては、入力装置３は該入力装置３を特定するＩＰアドレスを情報処理装置１へ送信し、情報処理装置１は、受信したＩＰアドレスに基づいて入力装置３を判別し、ＩＰアドレスに関連づけて記憶してある制限に従って、入力装置３から入力される情報を制限する。また、情報処理装置１に記憶されているＩＰアドレス以外のＩＰアドレスにて特定される入力装置３から入力された情報は、管理者の承認を受けるまで出力装置５，５，…，５からの出力を禁止する。受信したＩＰアドレスに基づいて入力装置３を判別することで、正規の入力装置３以外の入力装置３からの情報の入力を検出することができ、正規の装置以外の入力装置３から入力できる情報を大幅に制限することで、情報の入力者の個人ＩＤを不正に取得した者による正規の装置以外の入力装置３を用いた情報の破壊を防止することができる。また、正規の装置以外の入力装置３から入力された情報を出力禁止とし、出力の禁止を解除するには管理者による解除の指示を必要とすることにより、不正の可能性がある情報を、該情報が出力される前にチェックすることが可能となり、不正な情報が出力されることを防止することができる。
【００２６】
（付記１）  情報を入力するための入力装置と、情報の入力が許可された入力装置から入力された情報を記憶し、記憶している情報を出力装置へ出力する情報処理装置とを備える情報入出力システムにおいて、
前記入力装置は、情報を入力する権限を有する入力者を識別する入力者識別情報、及び該入力装置を特定する入力装置特定情報を前記情報処理装置へ送信する手段を備え、
前記情報処理装置は、
情報の入力を許可した入力装置を特定する許可入力装置特定情報を記憶する手段と、
入力者識別情報、及び／又は許可入力装置特定情報に関連づけて、入力される情報を制限するための入力制限情報を記憶する手段と、
受信した入力装置特定情報が許可入力装置特定情報に一致するか否かを判定する手段と、
受信した入力装置特定情報に一致する許可入力装置特定情報があると判定された場合は、受信した入力者識別情報及び／又は許可入力装置特定情報に関連づけて記憶してある入力制限情報が示す制限に従った情報を、受信した入力装置特定情報の送信元である入力装置から受信する手段と
を備えることを特徴とする情報入出力システム。
【００２７】
（付記２）  情報の入力を許可した外部の入力装置から入力された情報を記憶し、記憶している情報を外部の出力装置へ出力する情報処理装置において、
情報の入力を許可した外部の入力装置を特定する許可入力装置特定情報を記憶する手段と、
情報を入力する権限を有する入力者を識別する入力者識別情報、及び／又は許可入力装置特定情報に関連づけて、入力される情報の制限を示した入力制限情報を記憶する手段と、
外部の入力装置から、入力者識別情報、及び該入力装置を特定する入力装置特定情報を受信する手段と、
受信した入力装置特定情報に一致する許可入力装置特定情報があるか否かを判定する手段と、
受信した入力装置特定情報に一致する許可入力装置特定情報があると判定された場合は、受信した入力者識別情報及び／又は許可入力装置特定情報に関連づけて記憶してある入力制限情報が示す制限に従った情報を、前記入力装置から受信する手段と
を備えることを特徴とする情報処理装置。
【００２８】
（付記３）  前記入力制限情報は、前記許可入力装置特定情報に一致しない入力装置特定情報により特定される外部の不許可入力装置から入力される情報の制限を含んでおり、
受信した入力装置特定情報に一致する許可入力装置特定情報がないと判定された場合は、入力制限情報が示す制限に従った情報を、受信した入力装置特定情報の送信元である外部の不許可入力装置から受信する手段と、
不許可入力装置から情報を受信したことを示す通知を外部へ送信する手段と、
受信した情報を外部の出力装置へ出力することを禁止する手段と
を備えることを特徴とする付記２に記載の情報処理装置。
【００２９】
（付記４）  前記入力制限情報は、前記不許可入力装置から入力される情報による、記憶している情報の更新及び削除を禁止してあることを特徴とする付記３に記載の情報処理装置。
【００３０】
（付記５）  管理者を識別する管理者識別情報、及び管理者が使用する外部の入力装置を特定する管理装置特定情報を記憶する手段と、
外部の入力装置から受信した入力者識別情報及び入力装置特定情報が、管理者識別情報及び管理装置特定情報に一致するか否かを判定する手段と、
受信した入力者識別情報及び入力装置特定情報が管理者識別情報及び管理装置特定情報に一致すると判定された場合に、外部の出力装置への出力を禁止されている情報について、外部の出力装置への出力の禁止を解除する指示を、前記入力装置から受信する手段と、
受信した前記指示に係る情報に対する前記禁止を解除する手段と
を備えることを特徴とする付記３又は４に記載の情報処理装置。
【００３１】
（付記６）  情報の入力を拒否すべき外部の入力装置を特定する拒否入力装置特定情報を記憶する手段と、
受信した入力装置特定情報に一致する拒否入力装置特定情報があるか否かを判定する手段と、
受信した入力装置特定情報に一致する拒否入力装置特定情報があると判定された場合は、受信した入力装置特定情報の送信元である外部の入力装置からの情報の入力を拒否する手段と
を備えることを特徴とする付記２乃至５のいずれかに記載の情報処理装置。
【００３２】
（付記７）  情報の入力を許可した外部の入力装置を特定する許可入力装置特定情報を記憶し、情報を入力する権限を有する入力者を識別する入力者識別情報、及び／又は許可入力装置特定情報に関連づけて、入力される情報の制限を示した入力制限情報を記憶したコンピュータに、外部の入力装置から情報を入力させるコンピュータプログラムであって、
コンピュータに、外部の入力装置から受信した該入力装置を特定する入力装置特定情報に一致する許可入力装置特定情報を記憶しているか否かを判定させる手順と、
コンピュータに、受信した入力装置特定情報に一致する許可入力装置特定情報が記憶されていると判定された場合は、受信した入力者識別情報及び／又は許可入力装置特定情報に関連づけて記憶してある入力制限情報が示す制限に従った情報を、前記入力装置から受信させる手順と
を含むことを特徴とするコンピュータプログラム。
【００３３】
（付記８）  情報の入力を許可した外部の入力装置を特定する許可入力装置特定情報を記憶し、情報を入力する権限を有する入力者を識別する入力者識別情報、及び／又は許可入力装置特定情報に関連づけて、入力される情報の制限を示した入力制限情報を記憶したコンピュータに、外部の入力装置から情報を入力させるコンピュータプログラムを記録してあるコンピュータでの読み込みが可能な記録媒体であって、
コンピュータに、外部の入力装置から受信した該入力装置を特定する入力装置特定情報に一致する許可入力装置特定情報を記憶しているか否かを判定させる手順と、
コンピュータに、受信した入力装置特定情報に一致する許可入力装置特定情報が記憶されていると判定された場合は、受信した入力者識別情報及び／又は許可入力装置特定情報に関連づけて記憶してある入力制限情報が示す制限に従った情報を、前記入力装置から受信させる手順と
を含むコンピュータプログラムを記憶してあることを特徴とするコンピュータでの読み込みが可能な記録媒体。
【００３４】
【発明の効果】
本発明においては、情報処理装置は、入力者識別情報、及び／又は許可入力装置特定情報に関連づけて、入力装置から入力される情報を制限するための入力制限情報を記憶しておき、入力装置から入力装置特定情報を受信し、受信した入力装置特定情報が許可入力装置特定情報と一致した場合は、入力制限情報に従って、入力装置から入力可能な情報の種類、又は既存の情報の変更の可否などの制限を、特別な入力装置以外の一般の入力装置に対して行うことによって、不正に入力者識別情報を取得した者による任意の入力装置からの不正な情報の入力を防止することができる。
【００３５】
本発明においては、情報処理装置は、許可入力装置特定情報と一致しない入力装置特定情報を受信した場合は、該入力装置特定情報により特定される不許可入力装置から、入力制限情報より最も制限された情報を受信する。特に、不許可入力装置から入力される情報による、情報処理装置に既に記憶されている情報の更新および削除を禁止することにより、情報の消失を防止することができる。また、不許可入力装置から情報を受信したことを管理者へ通知し、受信した情報を出力装置へ出力することを禁止し、出力の禁止を解除するには管理者による解除の指示を必要とすることにより、入力された情報のうち不正の可能性がある情報を、該情報が出力される前にチェックすることが可能となり、不正な情報が出力装置から出力されることを防止することができる。更に、情報処理装置は、情報の入力を拒否すべき入力装置を特定する拒否入力装置特定情報を記憶しておき、受信した入力装置特定情報が拒否入力装置特定情報と一致した場合は、情報の入力を拒否することによって、過去に不正な情報の入力が行われた入力装置からの不正な情報の入力を防止することができる等、本発明は優れた効果を奏する。
【図面の簡単な説明】
【図１】本発明の情報入出力システムの構成を示すブロック図である。
【図２】ＩＤ情報及びアドレス情報の内容の例を示す概念図である。
【図３】入力制限情報の内容の例を示す概念図である。
【図４】公開情報及び非公開情報の内容の例を示す概念図である。
【図５】情報処理装置が行う処理の流れを示すフローチャートである。
【図６】情報処理装置が行う処理の流れを示すフローチャートである。
【符号の説明】
１  情報処理装置
１４  内部記憶装置
１４ａ  ＩＤ情報
１４ｂ  アドレス情報
１４ｃ  入力制限情報
１４ｄ  公開情報
１４ｅ  非公開情報
２  記録媒体
２０  コンピュータプログラム
３  入力装置
４  管理装置
５  出力装置
Ｎ  通信ネットワーク
【図１】
0004059678.tif 000002
【図２】
0004059678.tif 000003
【図３】
0004059678.tif 000004
【図４】
0004059678.tif 000005
【図５】
0004059678.tif 000006
【図６】
0004059678.tif 000007